(57)【要約】【課題】画像データの記憶部に温度要因による応答性の低下が発生した場合にユーザに与えるストレスを軽減した処理を行うことができる画像処理装置を提供する。【解決手段】画像データを格納するハードディスク装置の応答速度が通常よりも低下する応答性低下温度を予め設定しておき、ハードディスク装置の温度が応答性低下温度である場合には（ステップＳ１０４；Ｙｅｓ）、プリントジョブを禁止する（ステップＳ１０６）。すなわち、温度要因でハードディスク装置の応答性が低下したときには印刷を行わず、ハードディスク装置の応答性が低下していないときに印刷を行うようにして、ハードディスク装置の応答性低下に伴う生産性の低下した印刷動作が発生しないようにする。【選択図】図３
2009118010.tif 000002
【特許請求の範囲】
【請求項１】
画像を読み取る読取部と、
前記読取部から出力された画像データを記憶する記憶部と、
前記記憶部から読み出した画像データに基づき用紙上に画像を形成して出力する印刷部と、
前記記憶部の温度を測定する温度測定部と、
前記温度測定部の測定した前記記憶部の温度が所定温度の場合は読取ジョブは許可し印刷ジョブは禁止する制御部と、
を備える
ことを特徴とする画像処理装置。
【請求項２】
前記制御部は更に、前記印刷ジョブの内容に基づいて前記印刷ジョブに係る印刷の生産性を判断し、前記記憶部の温度が所定温度でも前記生産性が低下しないと判断した場合は前記印刷ジョブを許可する
ことを特徴とする請求項１に記載の画像処理装置。
【請求項３】
前記制御部は更に、前記記憶部の温度が前記所定温度の場合に前記印刷ジョブに係る印刷の生産性が低下する場合があることを報知し、該報知後に印刷実行の応答を受けた場合は前記印刷ジョブを許可する
ことを特徴とする請求項１に記載の画像処理装置。
【請求項４】
前記報知は、前記記憶部の温度が前記所定温度であって当該画像処理装置の電源投入から所定時間を経過した場合に行う
ことを特徴とする請求項３に記載の画像処理装置。
【請求項５】
複数種類のジョブを処理する画像処理装置であって、
画像データを記憶する記憶部と、
前記記憶部の温度を測定する温度測定部と、
処理するジョブをそのジョブの種類に応じて許可対象または禁止対象に分類し、前記温度測定部の測定した前記記憶部の温度が所定温度の場合は前記許可対象に分類したジョブは許可し前記禁止対象に分類したジョブは禁止する制御部と、
を備える
ことを特徴とする画像処理装置。
【請求項６】
複数種類のジョブを処理する画像処理装置であって、
画像データを記憶する記憶部と、
前記記憶部の温度を測定する温度測定部と、
処理するジョブをそのジョブで扱う画像データのサイズに応じて許可対象または禁止対象に分類し、前記温度測定部の測定した前記記憶部の温度が所定温度の場合は前記許可対象に分類したジョブは許可し前記禁止対象に分類したジョブは禁止する制御部と、
を備える
ことを特徴とする画像処理装置。
【請求項７】
前記温度測定部は、前記記憶部が備える内部温度測定部である
ことを特徴とする請求項１乃至６のいずれか１項に記載の画像処理装置。
【請求項８】
前記温度測定部は、前記記憶部の外部に設けられた温度センサである
ことを特徴とする請求項１乃至６のいずれか１項に記載の画像処理装置。
【発明の詳細な説明】
【技術分野】
【０００１】
本発明は、ハードディスク装置などを画像データの記憶装置として備えた画像処理装置に関する。
【背景技術】
【０００２】
近年のハードディスク装置は、大容量化や高密度化に伴い温度の影響を受けやすくなっていることから、低温時や高温時の信頼性を確保する対策を講じているものがある。しかし、その影響で低温時や高温時に応答速度が低下する傾向があり、そのようなハードディスク装置を画像データの記憶装置として画像形成装置に使用した場合には、低温時や高温時にハードディスク装置による画像データの入出力が印刷出力に間に合わなくなることがある。
【０００３】
特に低温環境下や電源投入直後などの要因でハードディスク装置が低温状態にあるときには、ハードディスク装置が一定温度まで温まらないと応答速度の低下が改善されない。そのため、画像処理装置はハードディスク装置による画像データの書き込みおよび読み出しが完了するまで印刷を待たされることになり、生産性の低下を引き起こしやすくなる。
【０００４】
このようなハードディスク装置の温度を要因とする不具合を改善するために、高温側については、ハードディスク装置の温度を基に画像読取と印刷出力とを間欠動作させてシステム内部全体の温度上昇を抑えることにより、ハードディスク装置の温度上昇を抑える技術が開示されている（たとえば、特許文献１参照）。
【０００５】
また低温側については、ハードディスク装置の温度が低い場合に、冷却ＦＡＮの回転を停止する制御を行ってハードディスク装置の温度上昇を早める、あるいは、低速アクセス状態でのジョブの投入や多重投入を禁止する制御を行うなどして、画像処理装置に搭載されたハードディスク装置の低速動作中の不具合を防止する技術が開示されている（たとえば、特許文献２参照）。
【０００６】
【特許文献１】特開２００４−３３６２４６号公報
【特許文献２】特開２００６−５６０６２号公報
【発明の開示】
【発明が解決しようとする課題】
【０００７】
上記の技術では、ハードディスク装置が高温になると間欠動作によって温度上昇を抑え、また低温になると冷却ＦＡＮの回転停止によって温度上昇を早めるなどにより、低速動作になることを回避するようにしている。しかし、温度が戻るまでの間や、低温環境下などで電源を投入した後にハードディスク装置が低温状態から一定温度に上昇するまでの間は、ハードディスク装置の応答速度が低下しているため、やはり印刷の生産性低下を引き起こす可能性がある。そのため、複数ページのプリントや原稿コピーなどにおいては、通常は連続的に行われる複数ページの印刷出力が中断したり不連続（間欠的）に行われたりしてしまい、ユーザはストレスを受けることになる。
【０００８】
本発明は、上記の問題を解決しようとするものであり、画像データの記憶部に温度要因による応答性の低下が発生した場合にユーザに与えるストレスを軽減した処理を行うことができる画像処理装置を提供することを目的としている。
【課題を解決するための手段】
【０００９】
かかる目的を達成するための本発明の要旨とするところは、次の各項の発明に存する。
【００１０】
［１］画像を読み取る読取部と、
前記読取部から出力された画像データを記憶する記憶部と、
前記記憶部から読み出した画像データに基づき用紙上に画像を形成して出力する印刷部と、
前記記憶部の温度を測定する温度測定部と、
前記温度測定部の測定した前記記憶部の温度が所定温度の場合は読取ジョブは許可し印刷ジョブは禁止する制御部と、
を備える
ことを特徴とする画像処理装置。
【００１１】
上記発明では、たとえば記憶部の応答速度（データ転送速度）が通常よりも低下する高温温度範囲や低温温度範囲などを所定温度とし、温度測定部の測定した記憶部の温度が所定温度の場合には印刷ジョブを禁止する。すなわち、温度要因で記憶部の応答性が低下したときには印刷を行わず、記憶部の応答性が低下していないときに印刷を行うようにして、画像データを記憶する記憶部の応答性低下に伴う生産性（単位時間当たりの印刷枚数）の低下した印刷動作が発生しないようにする。
【００１２】
これにより、生産性の低下した印刷が行われて複数ページの印刷が中断するようなことを防止でき、ユーザに与えるストレスを軽減できるようになる。
【００１３】
また、たとえば原稿を複数部複写するような場合には、読取ジョブよりも印刷ジョブの方がジョブの処理量が大きくなる。そのため、生産性の低下した状態で複写が行われると、原稿の読み取りよりも印刷の方が連続的な動作を妨げられる回数や時間が多くなり、ユーザが受けるストレスは大きくなる。
【００１４】
そこで、記憶部が所定温度でも読取ジョブは許可し、画像の読み取りは実行可能とする。これにより、複数ページの原稿を複写するような場合には、記憶部が所定温度でも画像の読み取りは直ちに開始され、ユーザが画像の読み取り開始を待たされることはない。また、印刷の開始は一時待つことになるが、開始されれば生産性の低下による中断などが発生することはなく、複数ページの印刷出力が連続的に行われるため、複写などを行う際にユーザが受けるストレスは小さくなる。
【００１５】
［２］前記制御部は更に、前記印刷ジョブの内容に基づいて前記印刷ジョブに係る印刷の生産性を判断し、前記記憶部の温度が所定温度でも前記生産性が低下しないと判断した場合は前記印刷ジョブを許可する
ことを特徴とする［１］に記載の画像処理装置。
【００１６】
記憶部が所定温度で低速動作となる場合でも、印刷の生産性の低下度合いはジョブの内容に依存して変化する。そこで上記発明では、印刷ジョブの内容、たとえば枚数や１枚当たりの画像データのサイズ、画像データの合計サイズなどに基づいて印刷の生産性を判断し、記憶部の温度が所定温度でも生産性が低下しなければ印刷ジョブを許可する。すなわち、生産性が低下して実際にストレスを与えるような印刷動作となる場合のみ印刷ジョブを禁止するようにする。これにより、生産性の低下しない印刷ジョブまで禁止されるようなことを回避できる。
【００１７】
［３］前記制御部は更に、前記記憶部の温度が前記所定温度の場合に前記印刷ジョブに係る印刷の生産性が低下する場合があることを報知し、該報知後に印刷実行の応答を受けた場合は前記印刷ジョブを許可する
ことを特徴とする［１］に記載の画像処理装置。
【００１８】
上記発明では、記憶部の温度が所定温度であれば印刷の生産性が低下する場合があることを報知する。この報知は、記憶部が所定温度であることにより印刷ジョブを禁止してから行うようにしてもよく、また印刷ジョブを禁止せずに行うようにしてもよい。そして、この報知後に印刷実行の応答を受けた場合には印刷ジョブを許可する。これにより、生産性が低下しても構わないので印刷を実行したいなどのユーザの要求に対応できるようになる。
【００１９】
［４］前記報知は、前記記憶部の温度が前記所定温度であって当該画像処理装置の電源投入から所定時間を経過した場合に行う
ことを特徴とする［３］に記載の画像処理装置。
【００２０】
たとえば、寒冷地などの極低温環境下では、画像処理装置を起動しても極低温となっている記憶部が温まりにくく、その低温状態（所定温度）から脱するまでに時間を要する。そのため、画像処理装置を低温環境で使用する場合には、起動後の印刷ジョブの禁止状態が長引いて使い勝手が悪くなる可能性がある。
【００２１】
そこで上記発明では、記憶部の温度が所定温度であって画像処理装置の電源投入から所定時間を経過した場合には、印刷の生産性が低下する場合があることを報知し、その報知後に印刷実行の応答を受けた場合は印刷ジョブを許可する。
【００２２】
これにより、画像処理装置の起動後に印刷を実行できるまでの待ち時間が長くなるような場合でも、電源投入から所定時間を経過すると、ユーザは生産性の低下した印刷動作が発生する場合があることを承知した上で印刷を実行できるようになる。したがって、画像処理装置の使い勝手が良好になり、ユーザに与えるストレスも軽減することができる。
【００２３】
［５］複数種類のジョブを処理する画像処理装置であって、
画像データを記憶する記憶部と、
前記記憶部の温度を測定する温度測定部と、
処理するジョブをそのジョブの種類に応じて許可対象または禁止対象に分類し、前記温度測定部の測定した前記記憶部の温度が所定温度の場合は前記許可対象に分類したジョブは許可し前記禁止対象に分類したジョブは禁止する制御部と、
を備える
ことを特徴とする画像処理装置。
【００２４】
たとえば、記憶部へのアクセス量はジョブの種類によって様々であるため、記憶部の応答性低下によるジョブの処理速度の低下度合いはジョブの種類によって異なる。そこで上記発明では、ジョブの種類に応じて、記憶部の応答性低下による処理速度の低下度合いが小さいジョブなどは許可対象に、処理速度の低下度合いが大きいジョブなどは禁止対象に分類すると共に、記憶部の応答速度が通常よりも低下する高温温度範囲や低温温度範囲などを所定温度とし、温度測定部の測定した記憶部の温度が所定温度の場合には、許可対象に分類したジョブは許可し禁止対象に分類したジョブは禁止する。
【００２５】
このように、記憶部が所定温度で低速動作となる場合には、処理速度の低下度合いが大きいジョブなどを禁止することにより、そのジョブが低速実行されることでユーザに与えるストレスを防止することができる。
【００２６】
［６］複数種類のジョブを処理する画像処理装置であって、
画像データを記憶する記憶部と、
前記記憶部の温度を測定する温度測定部と、
処理するジョブをそのジョブで扱う画像データのサイズに応じて許可対象または禁止対象に分類し、前記温度測定部の測定した前記記憶部の温度が所定温度の場合は前記許可対象に分類したジョブは許可し前記禁止対象に分類したジョブは禁止する制御部と、
を備える
ことを特徴とする画像処理装置。
【００２７】
たとえば、記憶部の応答性低下によるジョブの処理速度の低下度合いは、ジョブで扱う画像データのサイズによって異なる。すなわち、画像データのサイズが小さければジョブの処理速度の低下度合いは小さく、画像データのサイズが大きければジョブの処理速度の低下度合いは大きくなる。そこで上記発明では、ジョブで扱う画像データのサイズに応じて、画像データのサイズが小さいジョブなどは許可対象に、画像データのサイズが大きいジョブなどは禁止対象に分類すると共に、記憶部の応答速度が通常よりも低下する高温温度範囲や低温温度範囲などを所定温度とし、温度測定部の測定した記憶部の温度が所定温度の場合には、許可対象に分類したジョブは許可し禁止対象に分類したジョブは禁止する。
【００２８】
このように、記憶部が所定温度で低速動作となる場合には、画像データのサイズが大きく処理速度の低下度合いが大きいジョブなどを禁止することにより、そのジョブが低速実行されることでユーザに与えるストレスを防止することができる。
【００２９】
［７］前記温度測定部は、前記記憶部が備える内部温度測定部である
ことを特徴とする［１］乃至［６］のいずれか１項に記載の画像処理装置。
【００３０】
上記発明では、記憶部が備える内部温度測定部を用いて温度を測定することにより、記憶部内の正確な温度を測定し制御できるようになる。また、簡単な構成での温度測定が可能になる。
【００３１】
［８］前記温度測定部は、前記記憶部の外部に設けられた温度センサである
ことを特徴とする［１］乃至［６］のいずれか１項に記載の画像処理装置。
【００３２】
上記発明では、記憶部の外部に温度センサを設けて温度を測定することにより、内蔵の温度測定部などを持たない記憶部の温度測定が可能になる。
【発明の効果】
【００３３】
本発明に係る画像処理装置によれば、画像データの記憶部に温度要因による応答性の低下が発生した場合にユーザに与えるストレスを軽減した処理を行うことができる。
【発明を実施するための最良の形態】
【００３４】
以下、図面に基づき本発明の実施の形態を説明する。
【００３５】
[第１の実施の形態] 
図１は、本発明の第１の実施の形態に係る画像処理装置１０の概略構成を示すブロック図である。画像処理装置１０は、原稿を光学的に読み取るスキャナ機能、該読み取りで得た画像データを用紙上に画像形成して印刷出力するコピー機能、外部から入力された印刷データを画像データに変換し、該変換した画像データを用紙上に画像形成して印刷出力するプリント機能などを備えたデジタル複写機として構成されている。
【００３６】
画像処理装置１０は、原稿を光学的に読み取る画像読取部１１と、画像読取部１１で原稿を読み取って得た画像データに対してＲ（Red）、Ｇ（Green）、Ｂ（Blue）からＹ（Yellow）、Ｍ（Magenta）、Ｃ（Cyan）、Ｋ（blacK）への色変換処理を施す色変換部１２と、色変換部１２から出力された画像データに対して誤差拡散処理を施す誤差拡散部１３とを備えている。
【００３７】
画像読取部１１は、原稿を照射する光源、原稿を幅方向に１ライン分読み取るＣＣＤ（Charge Coupled Device）イメージセンサおよびこのイメージセンサが出力するアナログ画像信号をデジタルの画像データに変換するＡ／Ｄ変換器を備えている。また、図示省略してあるが、イメージセンサによるライン単位の読取位置を原稿の長さ方向に移動させる移動機構、原稿からの反射光をイメージセンサに導いて結像させるレンズやミラーからなる光学部品などを備えている。
【００３８】
また画像処理装置１０は、ＬＡＮ（Local Area Network）２などと接続されて外部とデータの授受を行うネットワークコントローラの機能や、文字コードなどで構成された印刷データを図示しない外部端末からＬＡＮ２を通じて受信し、該印刷データをイメージデータ（画像データ）に展開する機能を有する画像データの入力部としてのネットワーク／プリンタ制御部１４と、誤差拡散部１３またはネットワーク／プリンタ制御部１４から出力された画像データを記憶する画像記憶部１５と、画像記憶部１５に対する画像データの書き込みおよび読み出しなどを制御する格納制御部１６とを備えている。
【００３９】
さらに画像処理装置１０は、格納制御部１６から出力された画像データに対して印刷出力のための各種画像処理を施す画像処理部１７と、画像処理部１７から出力された画像データに基づいて用紙上に画像を形成し出力するプリンタ部（印刷部）としての画像出力部１８とを備えている。
【００４０】
画像出力部１８は、画像処理部１７から入力された画像データに対応する画像を電子写真プロセスによって用紙上に形成して出力する。画像出力部１８は、図示しない、用紙の搬送装置と、感光体ドラムと、帯電装置と、入力される画像データに応じて点灯制御されるＬＤ（Laser Diode）と、ＬＤから射出されたレーザ光を感光体ドラム上で走査させる走査ユニットと、現像装置と、転写分離装置と、クリーニング装置と、定着装置とを有する、いわゆるレーザープリンタとして構成されている。レーザ光に代えてＬＥＤ（Light
Emitting Diode）で感光体ドラムを照射するＬＥＤプリンタのほか他の方式のプリンタであってもかまわない。
【００４１】
図２は、上記の画像処理装置１０における要部を示すブロック図である。画像処理装置１０は、ＣＰＵ（Central Processing Unit）２０と、メモリ２１（システムメモリ）と、操作表示部２２と、１次側のＰＣＩ（Peripheral Component Interconnect）バス２３とを備えている。さらに画像処理装置１０は、ＹＭＣＫの各色に対応する格納制御部１６と、図１における画像記憶部１５としてのハードディスク装置２６（図中、ＨＤＤ；Hard Disk Driveと表示）と、バスブリッジ２４と、２次側のＰＣＩバス２５と、Ｌｏｃａｌバス２９とを備えており、ＹＭＣＫの画像データを色毎に管理するように構成されている。なお、図２ではＹ色とＭ色の構成のみを示し、Ｃ色とＫ色の構成は図示を省略している。
【００４２】
ＣＰＵ２０は、図１に示した各部を制御して画像処理装置１０にスキャン、コピー、プリントなどの通常動作を行わせるほか、ハードディスク装置２６の温度に基づいてスキャン／プリントジョブの許可／禁止などを制御する制御部としての機能を備えている。メモリ２１はＣＰＵ２０に接続されており、ＣＰＵ２０が実行する各種プログラムが格納されたフラッシュメモリやＣＰＵ２０のワークメモリとなるＲＡＭ（Random Access Memory）などとして構成されている。
【００４３】
操作表示部２２は、画像表示およびタッチ操作が可能なタッチパネル式のオペレーションパネルとして構成されており、画像処理装置１０の動作状態や操作案内、警告、エラーなどに関する各種表示を行うと共に、ユーザからの入力操作を受け付ける機能を備えている。また、ＣＰＵ２０と操作表示部２２とは１次側のＰＣＩバス２３に接続されている。
【００４４】
バスブリッジ２４は、１次側のＰＣＩバス２３と２次側のＰＣＩバス２５とを橋渡しする機能を果たす。また、２次側のＰＣＩバス２５には格納制御部１６およびハードディスク装置２６が接続されている。
【００４５】
格納制御部１６は、メモリ制御部３０と、メモリ３１（ローカルメモリ）と、圧縮伸張部３２とを備えており、メモリ制御部３０には２次側のＰＣＩバス２５とＬｏｃａｌバス２９とが接続されている。
【００４６】
メモリ制御部３０は、Ｌｏｃａｌバス２９、メモリ３１、圧縮伸張部３２、およびハードディスク装置２６との間でのデータの受け渡しを管理し制御する機能を備えている。詳細には、図１に示した誤差拡散部１３から出力される画像データをＬｏｃａｌバス２９を通じて入力する機能、ネットワーク／プリンタ制御部１４から出力される画像データをＰＣＩバス２３、バスブリッジ２４、ＰＣＩバス２５を経由して入力する機能、メモリ３１に対してアドレス信号やタイミング信号などを与えてメモリ３１へのデータの書き込みおよび読み出しを制御する機能、圧縮伸張部３２との間でデータを授受する機能、２次側のＰＣＩバス２５を通じてハードディスク装置２６とメモリ３１との間でデータ転送する機能、メモリ３１に記憶されている画像データをＬｏｃａｌバス２９を通じて画像処理部１７に出力する機能などを果たす。
【００４７】
ハードディスク装置２６はＳＭＡＲＴ（Self-Monitoring Analysis and Reporting Technology）２７を搭載している。ＳＭＡＲＴ２７は、ハードディスク装置２６の使用時間や装置内部の温度などを含む各種の検査項目をリアルタイムに測定してその情報を保持する自己診断機能を果たす。また、ハードディスク装置２６がＳＭＡＲＴを搭載していない場合などには、ハードディスク装置２６の温度を測定するための温度センサ２８を別途設ける。この温度センサ２８は、たとえばハードディスク装置２６の表面に取り付けて装置外部の温度を測定する、あるいは、ハードディスク装置２６の周辺に取り付けて装置周辺の環境温度を測定するようにし、さらに１次側のＰＣＩバス２３に接続して測定した温度情報をＣＰＵ２０が取得できるように構成する。また、温度センサ２８をＣＰＵ２０の汎用ポートに接続して温度情報を取得するようにしてもよい。
【００４８】
また、本実施形態の画像処理装置１０がスキャン、コピー、プリントにて処理するジョブの種類には、スキャンジョブとプリントジョブがある。「スキャンジョブ」とはスキャン動作に係るジョブのことであり、詳細には画像読取部１１により原稿画像の読み取りを行って画像データを取得するジョブを指す。また、「プリントジョブ」とはプリント動作に係るジョブのことであり、詳細には画像出力部１８により画像データに基づいて用紙上に画像を形成し出力するジョブを指す。本実施の形態では、スキャンの場合は画像処理装置１０内でスキャンジョブが生成される。コピーの場合は画像処理装置１０内でスキャンジョブとこのスキャンジョブで取得した画像データに基づくプリントを行うプリントジョブとが生成される。また、プリントの場合は外部端末から画像処理装置１０にプリントジョブが送られる。
【００４９】
また、本実施形態の画像処理装置１０は、起動後にウォームアップ状態となって操作表示部２２にウォームアップ画面を表示し、定着装置が温まって印刷可能になるとレディ状態に移行して操作表示部２２にレディ画面を表示するように構成されている。またウォームアップ状態でも、スキャンジョブや外部端末から送られてきたプリントジョブの予約を受け付けるように構成されている。たとえば、ウォームアップ状態にてコピーの操作が行われると原稿画像の読み取りのみを行い、その読み取った原稿画像の印刷はレディ状態になってから開始するようになっている。また、ウォームアップ状態にて外部端末から依頼を受けた印刷はレディ状態になってから開始するようになっている。
【００５０】
次に、通常のスキャン動作、コピー動作、プリント動作における画像データの入力から出力までの流れを説明する。
【００５１】
スキャン動作およびコピー動作の場合は、画像読取部１１で原稿画像の読み取りを行うと、画像読取部１１から画像データが順次出力されて色変換部１２に入力される。この画像データは色変換部１２でＲＧＢからＹＭＣＫへの色変換処理を施され、ＹＭＣＫの色別に、誤差拡散部１３で誤差拡散処理を施され、格納制御部１６のメモリ制御部３０を経由してメモリ３１に格納される。
【００５２】
プリント動作の場合は、ネットワーク／プリンタ制御部１４は図示しない外部端末からＬＡＮ２を通じて印刷データを受信すると、印刷データを画像データに展開して出力する。この画像データはＹＭＣＫの色別に格納制御部１６のメモリ制御部３０を経由してメモリ３１に格納される。
【００５３】
メモリ３１に格納された画像データは、スキャン動作、コピー動作、プリント動作の何れの場合も、圧縮伸張部３２で圧縮されて画像記憶部１５としてのハードディスク装置２６に一旦格納される。また、ハードディスク装置２６に格納された画像データは出力時に読み出されて圧縮伸張部３２で伸張され、メモリ３１に戻される。
【００５４】
メモリ３１に戻された画像データは、コピー動作およびプリント動作ではメモリ制御部３０を経由して画像処理部１７へ出力され、画像処理部１７でＹＭＣＫの色別に各種の画像処理が施された後、画像出力部１８へ出力される。画像出力部１８は画像処理部１７から入力される画像データに従ってＬＤの点灯制御を行って画像を用紙上に形成し、印刷出力する。
【００５５】
次に、ハードディスク装置２６の温度に基づいてジョブの許可／禁止を制御するジョブ制御処理について説明する。
【００５６】
背景技術で説明したように、ハードディスク装置は高温または低温になり温度が一定の閾値を超えるまたは下回ると、応答速度（データ転送速度）の低下を招くことがある。また、この温度要因による応答速度の低下は機種によって異なっていることがあり、中にはデータ書き込み速度が大幅に低下する機種もある。そのため、特に高解像度および高速出力を実現した画像処理装置においては、ハードディスク装置の応答速度の低下による影響で、印刷出力に対してハードディスク装置からの画像データの出力が間に合わずにデータ待ち時間が発生してしまい、１００％の生産性を維持できないことがある。
【００５７】
そこで、本実施の形態では画像処理装置１０に搭載するハードディスク装置２６の温度と応答速度の関係（特性）を予め測定し、印刷出力に対して応答速度の低下を許容できる温度の閾値を設定しておき、その閾値を用いてジョブの許可／禁止制御を行うようにする。
【００５８】
詳細には、ハードディスク装置２６における上記の測定結果に基づいて設定した上限および下限の閾値をメモリ２１などに予め記憶しておき、測定したハードディスク装置２６の温度が上限の閾値を超えたときまたは下限の閾値を下回ったときはハードディスク装置２６の応答速度の低下が許容できないと判断し、スキャンジョブなどは許可するがプリントジョブは禁止する制御を行う。
【００５９】
たとえば、ハードディスク装置２６が６０℃を超えるまたは２０℃を下回ると、印刷の生産性に影響が及ぶ応答速度の低下を発生するような場合には、上限の閾値を６０℃に設定し、下限の閾値を２０℃に設定する。また、上記の温度に所定のマージン（たとえば１℃など）を設けて閾値を設定するようにしてもよい。さらに、ＹＭＣＫのハードディスク装置２６にて応答性低下の発生温度が異なるような場合には、ＹＭＣＫのハードディスク装置２６における最悪値（最も低い上限の閾値と最も高い下限の閾値）を基準の閾値として設定するようにしてもよい。そして上限の閾値を超えるまたは下限の閾値を下回る温度をハードディスク装置２６の応答性低下温度（所定温度）とし、この応答性低下温度を用いて以下に説明するジョブ制御処理を実施する。
【００６０】
図３は、本実施形態の画像処理装置１０が実施するジョブ制御処理の流れを示している。
【００６１】
ユーザが画像処理装置１０でスキャンの操作を行うと、ＣＰＵ２０はスキャンジョブを生成する（ステップＳ１０１）。また、ユーザが画像処理装置１０でコピーの操作を行うと、ＣＰＵ２０はスキャンジョブおよびこのスキャンジョブで取得した画像データに基づくプリントを行うプリントジョブを生成する（ステップＳ１０１）。また、ユーザが外部端末から画像処理装置１０に対するプリントの操作を行うと、ＣＰＵ２０は外部端末から送信されＬＡＮ２を介してネットワーク／プリンタ制御部１４が受信したプリントジョブを受け取る（ステップＳ１０１）。
【００６２】
ＣＰＵ２０は、生成または受け取ったジョブの種類がプリントジョブであるか否かを判断する（ステップＳ１０２）。他のジョブの場合は（ステップＳ１０２；Ｎｏ）、そのジョブを許可し（ステップＳ１０５）、本処理を終了する（エンド）。
【００６３】
プリントジョブの場合は（ステップＳ１０２；Ｙｅｓ）、ＣＰＵ２０はＳＭＡＲＴ２７がリアルタイムに測定するハードディスク装置２６の内部の温度情報を取得する（ステップＳ１０３）。また、ハードディスク装置２６がＳＭＡＲＴを搭載していないなどの場合には、別途設けた温度センサ２８がリアルタイムに測定する温度情報（ハードディスク装置２６の外部温度または装置周辺の環境温度）を取得する。
【００６４】
ＣＰＵ２０は、取得した温度情報を基にハードディスク装置２６が応答性低下温度であるか否かを判断する（ステップＳ１０４）。たとえば、上限の閾値を６０℃とし下限の閾値を２０℃として、６０℃を超える温度範囲と２０℃を下回る温度範囲とをハードディスク装置２６の応答性低下温度に設定した場合には、取得したハードディスク装置２６の温度が６０℃を超えるまたは２０℃を下回るか否かを判断する。
【００６５】
ハードディスク装置２６の温度が応答性低下温度でなければ（ステップＳ１０４；Ｎｏ）、ＣＰＵ２０はプリントジョブを許可し（ステップＳ１０５）、本処理を終了する（エンド）。また、ハードディスク装置２６の温度が応答性低下温度であれば（ステップＳ１０４；Ｙｅｓ）、ＣＰＵ２０はプリントジョブを禁止し（ステップＳ１０６）、規定時間待機させ（ステップＳ１０７）、ステップＳ１０３へ戻る。
【００６６】
規定時間が経過すると、ＣＰＵ２０は再度ＳＭＡＲＴ２７または温度センサ２８からハードディスク装置２６の温度情報を取得し（ステップＳ１０３）、ステップＳ１０４以降の処理を繰り返し行う。
【００６７】
上記のジョブ制御処理によってスキャン／プリントジョブが許可された場合には、前述した通常のスキャン／コピー／プリント動作における画像データの入出力が行われてスキャンまたはコピーまたはプリントが実行される。
【００６８】
また、プリントジョブが禁止された場合には、スキャンおよびコピーにおけるスキャンは通常に実行される。プリントおよびコピーにおけるプリントは一時待機となり、ハードディスク装置２６の温度が応答性低下温度から脱してプリントジョブが許可されると実行される。
【００６９】
このように、本実施の形態に係る画像処理装置１０では、ハードディスク装置２６の応答速度が通常よりも低下して印刷の生産性に影響が及ぶ高温温度範囲や低温温度範囲などを応答性低下温度とし、ハードディスク装置２６の温度が応答性低下温度の場合にはプリントジョブを禁止する。すなわち、温度要因でハードディスク装置２６の応答性が低下したときには印刷を行わず、ハードディスク装置２６の応答性が低下していないときに印刷を行うようにして、ハードディスク装置２６の応答性低下に伴う生産性の低下した印刷動作が発生しないようにする。
【００７０】
これにより、生産性の低下した印刷が行われて複数ページの印刷が中断するようなことを防止でき、ユーザに与えるストレスを軽減できるようになる。
【００７１】
また、ハードディスク装置２６が応答性低下温度でもスキャンジョブは許可し、スキャンは実行可能とする。これにより、複数ページの原稿をスキャンやコピーするような場合には、ハードディスク装置２６が応答性低下温度でもスキャンは直ちに開始され、ユーザがスキャンの開始を待たされることはない。また、印刷の開始は一時待つことになるが、開始されれば生産性の低下による中断などが発生することはなく、複数ページの印刷出力が連続的に行われるため、コピーなどを行う際にユーザが受けるストレスは小さくなる。
【００７２】
[第２の実施の形態] 
次に、上記の画像処理装置１０による第２の実施の形態に係るジョブ制御処理を説明する。図４は、画像処理装置１０が実施する第２の実施の形態に係るジョブ制御処理の流れを示している。
【００７３】
第２の実施の形態に係るジョブ制御処理は、第１の実施の形態に対し、プリントジョブの内容、たとえば印刷部数や原稿複写枚数、１枚当たりの画像データのサイズ、画像データの合計サイズなどに基づいて印刷の生産性を判断し、ハードディスク装置２６の温度が応答性低下温度でも生産性が低下しないと判断した場合はプリントジョブを許可する処理を追加した変形例である。
【００７４】
詳細には、図４に示すように、ハードディスク装置２６の温度が応答性低下温度の場合には（ステップＳ１１４；Ｙｅｓ）、ＣＰＵ２０はプリントジョブを実行した際に印刷の生産性が低下するか否かを判断する（ステップＳ１１６）。生産性が低下しないと判断した場合は（ステップＳ１１６；Ｎｏ）、プリントジョブを許可する（ステップＳ１１５）。生産性が低下すると判断した場合は（ステップＳ１１６；Ｙｅｓ）、プリントジョブを禁止し（ステップＳ１１７）、規定時間待機させる（ステップＳ１１８）。この判断の他は第１の実施の形態と同様の処理を行う。
【００７５】
また、上記の判断は、以下のようにして行う。格納制御部１６には画像データを一時的に格納するためのメモリ３１が設けられており（図２参照）、このメモリ３１の容量（使用可能な容量）とジョブのサイズとを比較することで印刷の生産性低下を判断することができる。たとえば、コピーの場合はスキャンジョブで扱う画像データのサイズとメモリ３１の容量とを比較し、プリントの場合はプリントジョブで扱う画像データのサイズとメモリ３１の容量とを比較する。比較した結果、画像データのサイズがメモリ３１の容量以下であれば全画像データをメモリ３１に保存できるので、ハードディスク装置２６を使用せずメモリ３１による画像データの入出力によって画像出力部１８に画像データを転送することができる。この場合は印刷の生産性が低下しないと判断し、画像データをメモリ３１による入出力を経て画像出力部１８に転送し、印刷を実行するようにする。
【００７６】
なお、複数ページの原稿をコピーする場合には、１ページ目から順次、原稿のスキャンを開始し、取得した画像データをメモリ３１を経由してハードディスク装置２６に保存する。そして、取得した画像データのサイズがメモリ３１の容量を超えた時点で印刷の生産性が低下すると判断し、その時点でプリントジョブを禁止するようにしてもよい。また、取得した画像データのサイズがメモリ３１の容量を超えずに原稿全ページのスキャンを完了した場合には、印刷の生産性が低下しないと判断し、プリントジョブを許可する。この場合は、原稿全ページのスキャンが完了すると、メモリ３１に保存された画像データが読み出されて直ちに印刷が開始される。また、ハードディスク装置２６に保存された画像データは消去される。
【００７７】
これにより、サイズの小さいプリントジョブ、たとえば原稿複写枚数や印刷部数が少なくハードディスク装置２６の応答性が低下しても生産性が低下しないプリントジョブまで禁止されるようなことを回避できる。したがって、そのようなプリントジョブが印刷待ちとなることでユーザが受けるストレスを無くすことができる。
【００７８】
[第３の実施の形態] 
次に、第３の実施の形態に係るジョブ制御処理を説明する。図５は、画像処理装置１０が実施する第３の実施の形態に係るジョブ制御処理の流れを示している。
【００７９】
第３の実施の形態に係るジョブ制御処理は、第１の実施の形態に対し、ハードディスク装置２６の温度が応答性低下温度であれば印刷の生産性が低下する場合があることをユーザに報知し、その報知後にユーザから印刷実行の応答を受けた場合はプリントジョブを禁止せずに許可する処理を追加した変形例である。
【００８０】
詳細には、図５に示すように、ハードディスク装置２６の温度が応答性低下温度であれば（ステップＳ１２４；Ｙｅｓ）、コピーの場合には、ＣＰＵ２０は画像処理装置１０の操作表示部２２に、印刷の生産性が低下する場合がある旨のメッセージなどを表示させる（ステップＳ１２６）。またプリントの場合には、ＣＰＵ２０はプリント要求した外部端末に搭載されているプリンタドライバに指示を出し、外部端末の表示装置などに同様に、印刷の生産性が低下する場合がある旨のメッセージなどを表示させる（ステップＳ１２６）。
【００８１】
操作表示部２２または外部端末の表示装置などに表示された上記のメッセージなどをユーザが確認した後にジョブの開始操作を行うと、ＣＰＵ２０はその開始操作を受け付け（ステップＳ１２７；Ｙｅｓ）、プリントジョブを許可する（ステップＳ１２５）。ジョブの開始操作が行われなければ、ＣＰＵ２０はプリントジョブを禁止し（ステップＳ１２８）、そのまま規定時間待機させる（ステップＳ１２９）。その他は第１の実施の形態と同様の処理を行う。
【００８２】
これにより、本実施の形態では生産性の低下した印刷動作が発生しても構わないので印刷をすぐに開始したいなどのユーザの要求に対応できるようになる。
【００８３】
なお、スキャンにおいては原稿の残り枚数が１枚以上あることは認識できるので、上記の印刷の生産性低下に関する表示は（ステップＳ１２６）、複数ページの原稿をスキャンしている途中で印刷の生産性低下が発生すると判断した場合に、すなわち、スキャンで取得した画像データのサイズがメモリ３１の容量を超えると判断した場合に行うようにしてもよい。
【００８４】
たとえば、生産性が低下せずに印刷できる枚数がメモリ３１の容量から換算して５枚までである場合には、５枚目の原稿を読み取った時点で次の原稿が存在すれば、印刷の生産性低下に関する表示を行う。また、原稿が５枚以下であれば印刷の生産性低下に関する表示を行わずにそのまま印刷を実行するなどが可能である。
【００８５】
また、画像処理装置１０の起動直後などでウォームアップ画面を表示している最中に、定着装置は温まって印刷可能となったがハードディスク装置２６の温度が低い状態（応答性低下温度）でスキャンを行い、原稿が５枚を超えればウォームアップ状態を継続し、原稿が５枚以下であれば直ちにウォームアップ状態を解除して印刷を開始するようにしてもよい。また、この印刷後にハードディスク装置２６の温度が依然として低い状態であれば、画像処理装置１０をウォームアップ状態に戻してウォームアップ画面を再度表示するようにしてもよい。
【００８６】
[第４の実施の形態]
次に、第４の実施の形態に係るジョブ制御処理を説明する。図６は、画像処理装置１０が実施する第４の実施の形態に係るジョブ制御処理の流れを示している。
【００８７】
第４の実施の形態に係るジョブ制御処理は、ハードディスク装置２６の温度に基づいてスキャンジョブの許可／禁止を制御するものであり、図６に示す本実施形態の処理は、図５に示した第３の実施の形態に係るジョブ制御処理のステップＳ１２２の前に追加して行われる。
【００８８】
先ず、画像処理装置１０のＣＰＵ２０は、ステップＳ１３１にて生成または受け取ったジョブの種類がスキャンジョブであるか否かを判断する（ステップＳ１３２）。他のジョブの場合は（ステップＳ１３２；Ｎｏ）、本処理を終了して図５のステップＳ１２２へ移行する。
【００８９】
スキャンジョブの場合は（ステップＳ１３２；Ｙｅｓ）、ＣＰＵ２０は第１の実施の形態と同様にハードディスク装置２６の温度情報を取得し（ステップＳ１３３）、ハードディスク装置２６の温度が応答性低下温度であるか否かを判断する（ステップＳ１３４）。
【００９０】
ハードディスク装置２６の温度が応答性低下温度でなければ（ステップＳ１３４；Ｎｏ）、ＣＰＵ２０はスキャンジョブを許可し（ステップＳ１３５）、本処理を終了して図５のステップＳ１２２へ移行する。また、ハードディスク装置２６の温度が応答性低下温度であれば（ステップＳ１３４；Ｙｅｓ）、ＣＰＵ２０は画像処理装置１０の操作表示部２２に、スキャンの生産性が低下する場合がある旨のメッセージなどを表示させる（ステップＳ１３６）。
【００９１】
操作表示部２２に表示された上記のメッセージなどをユーザが確認した後にスキャンジョブの開始操作を行うと、ＣＰＵ２０はその開始操作を受け付け（ステップＳ１３７；Ｙｅｓ）、スキャンジョブを許可し（ステップＳ１３５）、本処理を終了して図５のステップＳ１２２へ移行する。スキャンジョブの開始操作が行われなければ、ＣＰＵ２０はスキャンジョブを禁止し（ステップＳ１３８）、そのまま規定時間待機させ（ステップＳ１３９）、ステップＳ１３３へ戻る。
【００９２】
これにより、本実施の形態ではジョブの種類を確認し、スキャンジョブとプリントジョブはハードディスク装置２６の温度に基づく許可／禁止制御が行われ、それ以外のジョブは許可されるようになる。また、スキャンの生産性低下に関する表示後にスキャンまたはコピーを開始する操作が行われた場合には、生産性の低下したスキャン動作が発生する場合があることをユーザが事前に承知しているので、実際に生産性の低下したスキャン動作が発生してもユーザに与えるストレスを軽減することができる。
【００９３】
[第５の実施の形態] 
次に、第５の実施の形態に係るジョブ制御処理を説明する。たとえば、画像処理装置１０が寒冷地などの極低温環境に設置されて使用される場合には、電源オフのときはハードディスク装置２６の温度も極めて低くなる。発熱体を有する定着装置などは、画像処理装置１０の電源投入後に比較的短い時間でウォームアップを完了するが、ヒータなどの加熱手段を持たないハードディスク装置２６は、自己発熱や周辺の他のデバイスなどの発熱による周囲温度の上昇に頼るしかないため、ウォームアップを完了する（応答性の低下しない温度になる）までに時間を要する。
【００９４】
そのため、本実施の形態では、画像処理装置１０の電源投入から規定時間を経過してもハードディスク装置２６が応答性の低下しない温度まで上昇しない場合には、ユーザの利便性を考慮して、画像処理装置１０の操作表示部２２や外部端末の表示装置などに印刷の生産性が低下する旨を表示し、ユーザが印刷を希望した場合は印刷を実行するようにしている。
【００９５】
図７は、画像処理装置１０が実施する第５の実施の形態に係るジョブ制御処理の流れを示している。
【００９６】
第５の実施の形態に係るジョブ制御処理は、第１の実施の形態に対し、ハードディスク装置２６の温度が応答性低下温度であるためにプリントジョブを禁止したが、画像処理装置１０の電源投入から規定時間を経過してもハードディスク装置２６の温度が依然として応答性低下温度である場合には、印刷の生産性が低下する場合があることをユーザに報知し、その報知後にジョブの開始操作を受け付けた場合にはプリントジョブを許可する処理を追加した変形例である。
【００９７】
詳細には、図７に示すように、画像処理装置１０に対するスキャン／コピー／プリントの依頼でＣＰＵ２０がジョブを生成または受け取ると（ステップＳ１４１）、ＣＰＵ２０はジョブの種類がプリントジョブであるか否かを判断する（ステップＳ１４２）。他のジョブの場合は（ステップＳ１４２；Ｎｏ）、そのジョブを許可し（ステップＳ１４５）、本処理を終了する（エンド）。
【００９８】
プリントジョブの場合は（ステップＳ１４２；Ｙｅｓ）、ＣＰＵ２０は第１の実施の形態と同様にハードディスク装置２６の温度情報を取得し（ステップＳ１４３）、ハードディスク装置２６の温度が応答性低下温度であるか否かを判断する（ステップＳ１４４）。
【００９９】
ハードディスク装置２６の温度が応答性低下温度でなければ（ステップＳ１４４；Ｎｏ）、ＣＰＵ２０はプリントジョブを許可し（ステップＳ１４５）、本処理を終了する（エンド）。また、ハードディスク装置２６の温度が応答性低下温度であれば（ステップＳ１４４；Ｙｅｓ）、ＣＰＵ２０はプリントジョブを禁止し（ステップＳ１４６）、続いて画像処理装置１０の電源投入から規定時間を経過したか否かを判断する（ステップＳ１４７）。
【０１００】
規定時間を経過していなければ（ステップＳ１４７；Ｎｏ）、禁止したプリントジョブをそのまま規定時間待機させ（ステップＳ１５０）、ステップＳ１４３へ戻る。規定時間を経過していれば（ステップＳ１４７；Ｙｅｓ）、コピーの場合には、ＣＰＵ２０は画像処理装置１０の操作表示部２２に、印刷の生産性が低下する場合がある旨のメッセージなどを表示させる（ステップＳ１４８）。またプリントの場合には、ＣＰＵ２０はプリント要求した外部端末に搭載されているプリンタドライバに指示を出し、外部端末の表示装置などに同様に、印刷の生産性が低下する場合がある旨のメッセージなどを表示させる（ステップＳ１４８）。
【０１０１】
操作表示部２２または外部端末の表示装置などに表示された上記のメッセージなどをユーザが確認した後にジョブの開始操作を行うと、ＣＰＵ２０はその開始操作を受け付け（ステップＳ１４９；Ｙｅｓ）、プリントジョブを許可する（ステップＳ１４５）。ジョブの開始操作が行われなければ、ＣＰＵ２０は禁止したプリントジョブをそのまま規定時間待機させ（ステップＳ１５０）、ステップＳ１４３へ戻る。
【０１０２】
これにより、画像処理装置１０を寒冷地などで使用する際に、電源投入後に規定時間を経過したがハードディスク装置２６の温度が応答性の低下しない温度まで上昇しない場合でも、ユーザが希望すれば印刷を実行できるようになる。したがって、画像処理装置１０の使い勝手が良好になり、ユーザに与えるストレスも軽減できるようになる。
【０１０３】
[第６の実施の形態] 
次に、第６の実施の形態に係るジョブ制御処理を説明する。図８は、画像処理装置１０が実施する第６の実施の形態に係るジョブ制御処理の流れを示している。
【０１０４】
第６の実施の形態に係るジョブ制御処理は、第５の実施の形態において許可／禁止を制御したプリントジョブをスキャンジョブに変更した変形例である。
【０１０５】
詳細には、図８に示すように、画像処理装置１０に対するスキャン／コピー／プリントの依頼でＣＰＵ２０がジョブを生成または受け取ると（ステップＳ１５１）、ＣＰＵ２０はジョブの種類がスキャンジョブであるか否かを判断する（ステップＳ１５２）。他のジョブの場合は（ステップＳ１５２；Ｎｏ）、そのジョブを許可し（ステップＳ１５５）、本処理を終了する（エンド）。
【０１０６】
スキャンジョブの場合は（ステップＳ１５２；Ｙｅｓ）、ＣＰＵ２０は第１の実施の形態と同様にハードディスク装置２６の温度情報を取得し（ステップＳ１５３）、ハードディスク装置２６の温度が応答性低下温度であるか否かを判断する（ステップＳ１５４）。
【０１０７】
ハードディスク装置２６の温度が応答性低下温度でなければ（ステップＳ１５４；Ｎｏ）、ＣＰＵ２０はスキャンジョブを許可し（ステップＳ１５５）、本処理を終了する（エンド）。また、ハードディスク装置２６の温度が応答性低下温度であれば（ステップＳ１５４；Ｙｅｓ）、ＣＰＵ２０はスキャンジョブを禁止し（ステップＳ１５６）、続いて画像処理装置１０の電源投入から規定時間を経過したか否かを判断する（ステップＳ１５７）。
【０１０８】
規定時間を経過していなければ（ステップＳ１５７；Ｎｏ）、禁止したスキャンジョブをそのまま規定時間待機させ（ステップＳ１６０）、ステップＳ１５３へ戻る。規定時間を経過していれば（ステップＳ１５７；Ｙｅｓ）、ＣＰＵ２０は画像処理装置１０の操作表示部２２に、スキャンの生産性が低下する場合がある旨のメッセージなどを表示させる（ステップＳ１５８）。
【０１０９】
操作表示部２２に表示された上記のメッセージなどをユーザが確認した後にジョブの開始操作を行うと、ＣＰＵ２０はその開始操作を受け付け（ステップＳ１５９；Ｙｅｓ）、スキャンジョブを許可する（ステップＳ１５５）。ジョブの開始操作が行われなければ、ＣＰＵ２０は禁止したスキャンジョブをそのまま規定時間待機させ（ステップＳ１６０）、ステップＳ１５３へ戻る。
【０１１０】
これにより、画像処理装置１０を寒冷地などで使用する際に、電源投入後に規定時間を経過したがハードディスク装置２６が応答性の低下を発生しない温度まで上昇しない場合でも、ユーザが希望すればスキャンやコピーを実行できるようになる。したがって、画像処理装置１０の使い勝手が良好になり、ユーザに与えるストレスも軽減できるようになる。
【０１１１】
[第７の実施の形態] 
次に、第７の実施の形態に係るジョブ制御処理を説明する。図９は、画像処理装置１０が実施する第７の実施の形態に係るジョブ制御処理の流れを示している。
【０１１２】
第７の実施の形態に係るジョブ制御処理は、第５の実施の形態で説明したプリントジョブの許可／禁止制御と、第６の実施の形態で説明したスキャンジョブの許可／禁止制御とを組み合わせて同時に行うようにしたものである。
【０１１３】
図９に示すように、画像処理装置１０に対するスキャン／コピー／プリントの依頼でＣＰＵ２０がジョブを生成または受け取ると（ステップＳ１６１）、ＣＰＵ２０はジョブの種類がスキャンジョブまたはプリントジョブであるか否かを判断する（ステップＳ１６２）。他のジョブの場合は（ステップＳ１６２；Ｎｏ）、そのジョブを許可し（ステップＳ１６５）、本処理を終了する（エンド）。
【０１１４】
スキャンジョブまたはプリントジョブの場合は（ステップＳ１６２；Ｙｅｓ）、ＣＰＵ２０は第１の実施の形態と同様にハードディスク装置２６の温度情報を取得し（ステップＳ１６３）、ハードディスク装置２６の温度が応答性低下温度であるか否かを判断する（ステップＳ１６４）。
【０１１５】
ハードディスク装置２６の温度が応答性低下温度でなければ（ステップＳ１６４；Ｎｏ）、ＣＰＵ２０はスキャン／プリントジョブを許可し（ステップＳ１６５）、本処理を終了する（エンド）。また、ハードディスク装置２６の温度が応答性低下温度であれば（ステップＳ１６４；Ｙｅｓ）、ＣＰＵ２０はスキャン／プリントジョブを禁止し（ステップＳ１６６）、続いて画像処理装置１０の電源投入から規定時間を経過したか否かを判断する（ステップＳ１６７）。
【０１１６】
規定時間を経過していなければ（ステップＳ１６７；Ｎｏ）、禁止したスキャン／プリントジョブをそのまま規定時間待機させ（ステップＳ１７０）、ステップＳ１６３へ戻る。規定時間を経過していれば（ステップＳ１６７；Ｙｅｓ）、スキャンの場合には、ＣＰＵ２０は画像処理装置１０の操作表示部２２に、スキャンの生産性に低下の発生する場合がある旨のメッセージなどを表示させる（ステップＳ１６８）。コピーの場合には、ＣＰＵ２０は画像処理装置１０の操作表示部２２に、スキャンおよび印刷の生産性に低下の発生する場合がある旨のメッセージなどを表示させる（ステップＳ１６８）。プリントの場合には、ＣＰＵ２０はプリント要求した外部端末に搭載されているプリンタドライバに指示を出し、外部端末の表示装置などに同様に、印刷の生産性が低下する場合がある旨のメッセージなどを表示させる（ステップＳ１６８）。
【０１１７】
操作表示部２２または外部端末の表示装置などに表示された上記のメッセージなどをユーザが確認した後にジョブの開始操作を行うと、ＣＰＵ２０はその開始操作を受け付け（ステップＳ１６９；Ｙｅｓ）、スキャン／プリントジョブを許可する（ステップＳ１６５）。ジョブの開始操作が行われなければ、ＣＰＵ２０は禁止したスキャン／プリントジョブをそのまま規定時間待機させ（ステップＳ１７０）、ステップＳ１６３へ戻る。
【０１１８】
これにより、ハードディスク装置２６の温度に基づいてスキャン／プリントジョブの許可／禁止制御を同時に行う画像処理装置１０を寒冷地などで使用する際には、電源投入後に規定時間を経過したがハードディスク装置２６の温度が応答性の低下しない温度まで上昇しない場合でも、スキャン／コピー／プリントを依頼したユーザが希望すればそれらを実行できるようになる。したがって、画像処理装置１０の使い勝手が良好になり、ユーザに与えるストレスも軽減できるようになる。
【０１１９】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１２０】
たとえば、第１〜第７の実施の形態で説明した全てのジョブ制御処理は、画像処理装置１０のレディ状態またはウォームアップ状態の何れでも実行することができる。また、実施の形態ではジョブの生成／受け取り後にハードディスク装置２６の温度を測定してジョブの許可／禁止制御を実行するようにしているが、ハードディスク装置２６の温度測定およびジョブの許可／禁止制御を実行するタイミングはこれに限らない。たとえば、ジョブの生成／受け取りとは無関係に、待機中やウォームアップ中などに所定のタイミングでハードディスク装置２６の温度測定およびジョブの許可／禁止制御を実行するようにしてもよい。さらにこの場合は、禁止したジョブは受け付けを拒否する、あるいは、禁止したジョブの投入は受け付けておき実行は禁止（保留）するなどとしてもよい。
【０１２１】
また、生産性の低下に関する表示を行う第３〜第７の実施の形態においては、ハードディスク装置２６の現在の温度から応答性が損なわれない温度になるまでの時間を推定し、画像処理装置１０の操作表示部２２や外部端末の表示装置などに、生産性低下の表示に合わせてその推定時間を表示するようにしてもよい。また、これらの生産性低下や上記の推定時間は、表示に換えて音声により報知するようにしてもよい。
【０１２２】
また、上記の表示や音声などによる生産性の低下に関する報知後に、ユーザによるジョブの開始操作が規定時間経過しても行われない場合には、自動的にジョブを許可(開始)するようにしてもよい。また、このジョブの自動許可を行うか否かについては、一般ユーザなどが操作表示部２２を通して設定できるように構成されてもよく、あるいは、権限を与えられたサービスマンなどが認証を経て操作表示部２２に開いた設定画面などを通して設定できるように構成されてもよい。
【０１２３】
また、画像処理装置１０の電源投入からの時間に基づく制御を例示した第５〜第７の実施の形態では、プリントジョブのみを許可／禁止制御する場合と（第５の実施の形態）、スキャンジョブのみを許可／禁止制御する場合と（第６の実施の形態）、プリントジョブおよびスキャンジョブを同時に許可／禁止制御する場合と（第７の実施の形態）を例示したが、プリントジョブおよびスキャンジョブを個別に許可／禁止制御するようにしてもよい。たとえば、第５の実施の形態で説明した処理のステップＳ１４２の前に第６の実施の形態で説明した処理のステップＳ１５５を接続してそれらの処理を組み合わせることにより、プリントジョブおよびスキャンジョブを個別に許可／禁止制御することが可能である。
【０１２４】
また、実施の形態では画像データの記憶装置（記憶部）としてハードディスク装置を例に説明したが、温度要因で応答性の低下が発生するものであればハードディスク装置以外の記憶装置でもかまわない。
【０１２５】
また、実施の形態では処理するジョブをスキャン／プリントジョブなどのジョブの種類に応じて許可対象または禁止対象に分類し、ハードディスク装置２６の温度に基づいて、許可対象に分類したジョブは許可し禁止対象に分類したジョブは禁止するようにしているが、このジョブの分類はジョブで扱う画像データのサイズに応じて行うようにしてもよい。
【０１２６】
また、本発明は実施の形態で説明したスキャナ機能、コピー機能、プリンタ機能などを備えたデジタル複写機に限らず、更にファクシミリ機能やネットワークＦＡＸ機能なども備えたデジタル複合機などの他の画像処理装置にも適用可能である。
【図面の簡単な説明】
【０１２７】
【図１】本発明の第１の実施の形態に係る画像処理装置の構成を示すブロック図である。
【図２】本発明の第１の実施の形態に係る画像処理装置の要部の構成を示すブロック図である。
【図３】本発明の第１の実施の形態に係る画像処理装置が行うジョブ制御処理を示す流れ図である。
【図４】本発明の第２の実施の形態に係るジョブ制御処理を示す流れ図である。
【図５】本発明の第３の実施の形態に係るジョブ制御処理を示す流れ図である。
【図６】本発明の第４の実施の形態に係るジョブ制御処理を示す流れ図である。
【図７】本発明の第５の実施の形態に係るジョブ制御処理を示す流れ図である。
【図８】本発明の第６の実施の形態に係るジョブ制御処理を示す流れ図である。
【図９】本発明の第７の実施の形態に係るジョブ制御処理を示す流れ図である。
【符号の説明】
【０１２８】
２…ＬＡＮ
１０…画像処理装置
１１…画像読取部
１２…色変換部
１３…誤差拡散部
１４…ネットワーク／プリンタ制御部
１５…画像記憶部
１６…格納制御部
１７…画像処理部
１８…画像出力部
２０…ＣＰＵ
２１…メモリ
２２…操作表示部
２３…１次側のＰＣＩバス
２４…バスブリッジ
２５…２次側のＰＣＩバス
２６…ハードディスク装置
２７…ＳＭＡＲＴ
２８…温度センサ
２９…Ｌｏｃａｌバス
３０…メモリ制御部
３１…メモリ
３２…圧縮伸張部
【図１】
2009118010.tif 000003
【図２】
2009118010.tif 000004
【図３】
2009118010.tif 000005
【図４】
2009118010.tif 000006
【図５】
2009118010.tif 000007
【図６】
2009118010.tif 000008
【図７】
2009118010.tif 000009
【図８】
2009118010.tif 000010
【図９】
2009118010.tif 000011